(57)【要約】【課題】複数人の編集者が協調して共通の画像データを編集することができるデジタル複合機を提供することである。【解決手段】デジタル複合機１は、記憶部１３と、画像管理部１４と、画像合成部１５と、送信部１２２とを備える。画像管理部１４は、ＰＣ２が指定した指定画像データ５０をＰＣ２に送信し、ＰＣ２により編集され、指定画像データ５０の編集部分に対応する編集画像データ５２を指定画像データ５０と対応付けて記憶部１３に記憶する。したがって、デジタル複合機１は、編集内容を画像データに上書きすることなく画像データを編集することができる。【選択図】図３
2011233976.tif 000002
【特許請求の範囲】
【請求項１】
第１端末とネットワークを介して接続されるデジタル複合機であって、
記憶部と、
前記記憶部に記憶され、前記第１端末が指定した指定画像データを前記第１端末に送信し、前記第１端末により編集され、前記指定画像データの編集部分に対応する第１編集画像データを、前記指定画像データと対応付けて前記記憶部に記憶する画像管理部と、
前記第１端末の指示に応じて、前記指定画像データと前記第１編集画像データとを合成して合成画像データを生成する画像合成部と、
前記合成画像データを出力する出力部と、
を備えるデジタル複合機。
【請求項２】
請求項１に記載のデジタル複合機において、
前記画像管理部は、ネットワークを介して接続される第２端末から前記指定画像データの送信を要求されたときに前記第１編集画像データが前記記憶部に記憶されている場合、前記指定画像データと、前記第１編集画像データとを前記第２端末に送信するデジタル複合機。
【請求項３】
請求項１に記載のデジタル複合機において、
前記画像管理部は、前記第１端末から第１編集画像データの記憶を要求されたときに、第２端末により編集され、前記指定画像データの編集部分に対応する第２編集画像データが前記記憶部に記憶されている場合、前記第２編集画像データが記憶されている旨を通知するデジタル複合機。
【請求項４】
請求項３に記載のデジタル複合機であって、
前記画像管理部は、前記第２編集画像データが記憶されている旨を通知する際に、前記第２編集画像データを前記第１端末に送信するデジタル複合機。
【請求項５】
請求項１〜４のいずれか１項に記載のデジタル複合機であって、
前記画像合成部は、前記指定画像データと、第１編集画像データを含む編集画像データ群の中から選択された１又は複数の編集画像データとを合成するデジタル複合機。
【請求項６】
第１端末と、記憶部を備えるデジタル複合機とを備える画像管理システムであって、
前記第１端末は、
前記記憶部に記憶されている画像データの中から指定画像データを取得し、取得した前記指定画像データを編集する編集部、
を備え、
前記デジタル複合機は、さらに、
前記指定画像データを前記第１端末に送信し、前記編集部により編集され、前記指定画像データの編集部分に対応する第１編集画像データを、前記指定画像データと対応付けて前記記憶部に記憶する画像管理部と、
前記第１端末の指示に応じて、前記指定画像データと前記第１編集画像データとを合成して合成画像データを生成する画像合成部と、
前記合成画像データを出力する出力部と、
を備える画像管理システム。
【請求項７】
第１端末にネットワークを介して接続するデジタル複合機を、
記憶部に記憶され、前記第１端末が指定した指定画像データを前記第１端末に送信し、前記第１端末により編集され、前記指定画像データの編集部分に対応する第１編集画像データを、前記指定画像データと対応付けて前記記憶部に記憶する画像管理部と、
前記第１端末の指示に応じて、前記指定画像データと前記第１編集画像データとを合成して合成画像データを生成する画像合成部と、
前記合成画像データを出力する出力部と、
として機能させるための画像管理プログラム。
【発明の詳細な説明】
【技術分野】
【０００１】
本発明は、デジタル複合機に関し、さらに詳しくは、端末とネットワークを介して接続されたデジタル複合機に関する。
【背景技術】
【０００２】
特開２００７−５８７２５号公報（特許文献１）には、複数の画像領域を含む画像データをユーザが編集する場合に、利便性を向上できる画像処理装置が開示されている。特許文献１に係る画像編集装置は、対象画像データに含まれる複数の画像領域のそれぞれに対するアクセス権情報を、ユーザごとに対応付けて記憶部に保持する。特許文献１に係る画像編集装置は、対象画像データを編集するユーザを画像領域ごとに管理することにより、複数のユーザが並行して対象画像データを編集することを可能としている。
【先行技術文献】
【特許文献】
【０００３】
【特許文献１】特開２００７−５８７２５号公報
【発明の概要】
【発明が解決しようとする課題】
【０００４】
上述したように、特許文献１に係る画像処理装置を用いることにより、複数のユーザが対象画像データを並行して編集することができる。しかし、あるユーザが編集して保存した第１編集領域を、他のユーザが新たに編集を行うことがある。他のユーザが、新たに編集した内容で第１編集領域を保存することにより、過去の編集内容が失われるという問題がある。
【０００５】
本発明の目的は、複数人の編集者が協調して共通の画像データを編集することができるデジタル複合機、画像管理システム及び画像管理プログラムを提供することである。
【課題を解決するための手段】
【０００６】
上記課題を解決するために、請求項１の発明は、第１端末とネットワークを介して接続されるデジタル複合機であって、記憶部と、前記記憶部に記憶され、前記第１端末が指定した指定画像データを前記第１端末に送信し、前記第１端末により編集され、前記指定画像データの編集部分に対応する第１編集画像データを、前記指定画像データと対応付けて前記記憶部に記憶する画像管理部と、前記第１端末の指示に応じて、前記指定画像データと前記第１編集画像データとを合成して合成画像データを生成する画像合成部と、前記合成画像データを出力する出力部と、を備える。
【０００７】
請求項２記載の発明は、請求項１に記載のデジタル複合機であって、前記画像管理部は、ネットワークを介して接続される第２端末から前記指定画像データの送信を要求されたときに前記第１編集画像データが前記記憶部に記憶されている場合、前記指定画像データと、前記第１編集画像データとを前記第２端末に送信する。
【０００８】
請求項３記載の発明は、請求項１に記載のデジタル複合機であって、前記画像管理部は、前記第１端末から第１編集画像データの記憶を要求されたときに、第２端末により編集され、前記指定画像データの編集部分に対応する第２編集画像データが前記記憶部に記憶されている場合、前記第２編集画像データが記憶されている旨を通知する。
【０００９】
請求項４記載の発明は、請求項３に記載のデジタル複合機であって、前記画像管理部は、前記第２編集画像データが記憶されている旨を通知する際に、前記第２編集画像データを前記第１端末に送信する。
【００１０】
請求項５記載の発明は、請求項１ないし請求項４のいずれかに記載のデジタル複合機であって、前記画像合成部は、前記指定画像データと、第１編集画像データを含む編集画像データ群の中から選択された１又は複数の編集画像データとを合成する。
【００１１】
請求項６の発明は、第１端末と、記憶部を備えるデジタル複合機とを備える画像管理システムであって、前記第１端末は、前記記憶部に記憶されている画像データの中から指定画像データを取得し、取得した前記指定画像データを編集する編集部とを備え、前記デジタル複合機は、さらに、前記指定画像データを前記第１端末に送信し、前記編集部により編集され、前記指定画像データの編集部分に対応する第１編集画像データを、前記指定画像データと対応付けて前記記憶部に記憶する画像管理部と、前記第１端末の指示に応じて、前記指定画像データと前記第１編集画像データとを合成して合成画像データを生成する画像合成部と、前記合成画像データを出力する出力部と、を備える。
【００１２】
請求項７の発明は、第１端末にネットワークを介して接続するデジタル複合機を、記憶部に記憶され、前記第１端末が指定した指定画像データを前記第１端末に送信し、前記第１端末により編集され、前記指定画像データの編集部分に対応する第１編集画像データを、前記指定画像データと対応付けて前記記憶部に記憶する画像管理部と、前記第１端末の指示に応じて、前記指定画像データと前記第１編集画像データとを合成して合成画像データを生成する画像合成部と、前記合成画像データを出力する出力部と、として機能させるための画像管理プログラムである。
【発明の効果】
【００１３】
本発明によるデジタル複合機の画像管理部は、第１編集画像データを、指定画像データと対応付けて記憶部に記憶している。このことより、指定画像データの編集内容が第１編集画像データに反映されるため、指定画像データを上書きされない。したがって、デジタル複合機は、編集対象の画像データを上書きすることなく、画像データを編集することができる。
【図面の簡単な説明】
【００１４】
【図１】第１の実施の形態による画像編集システムの構成を示す機能ブロック図である。
【図２】第１の実施の形態による画像処理システムの動作である記憶処理を示すフロー図である。
【図３】図２の動作に続き、順次画像編集処理を示すシーケンス図である。
【図４】図３の動作に続き、順次画像編集処理を示すシーケンス図である。
【図５】図４の動作に続き、ファクシミリ送信処理を示すシーケンス図である。
【図６】第１の実施の形態による指定画像データを示す概略図である。
【図７】第１の実施の形態による前景レイヤを示す概略図である。
【図８】図７に示した前景レイヤを編集することにより作成された編集画像データ５２を示す概略図である。
【図９】図６に示した指定画像データ及び図８に示した編集画像データ５２を重ねた様子を示す概略図である。
【図１０】図７に示した前景レイヤを編集することにより作成された編集画像データ５３を示す概略図である。
【図１１】図６に示した指定画像データ及び図１０に示した編集画像データ５３を重ねた様子を示す概略図である。
【図１２】第１の実施の形態による合成画像データを示す概略図である。
【図１３】第２の実施の形態による画像処理システムの動作である同時画像編集処理を示すシーケンス図である。
【発明を実施するための形態】
【００１５】
以下、図面を参照し、本発明の実施の形態を詳しく説明する。図中同一又は相当部分には同一符号を付してその説明は繰り返さない。
【００１６】
[第１の実施の形態]
[画像処理システムの構成]
図１は、画像処理システムの構成を示す機能ブロック図である。図１に示すように、画像処理システムは、デジタル複合機１と、ＰＣ（Ｐｅｒｓｏｎａｌ  Ｃｏｍｐｕｔｅｒ）２と、ＰＣ３とを備える。画像処理システムは、デジタル複合機１と、ＰＣ２と、ＰＣ３とがＬＡＮ（Ｌｏｃａｌ  Ａｒｅａ  Ｎｅｔｗｏｒｋ）４に接続された構成である。ＰＣ２及びＰＣ３は、ユーザが使用する端末装置である。
【００１７】
デジタル複合機１は、制御部１０と、表示部１１と、ファクシミリ部１２と、記憶部１３と、画像管理部１４と、画像合成部１５と、ネットワークインタフェース１７とを備える。デジタル複合機１は、一台でプリンタ機能、ファクシミリ機能、コピー機能及びスキャン機能などの複数の機能を有する多機能周辺装置（Ｍｕｌｔｉ  Ｆｕｎｃｔｉｏｎ  Ｐｅｒｉｐｈｅｒａｌ）である。なお、図示および説明は省略するが、印刷部及び操作部等も備えている。
【００１８】
制御部１０は、ＣＰＵ（Ｃｅｎｔｒａｌ  Ｐｒｏｃｅｓｓｉｎｇ  Ｕｎｉｔ）等で構成され、デジタル複合機１全体の制御を行う。表示部１１は、液晶ディスプレイなどである。表示部１１には、デジタル複合機１の動作状態などが表示される。
【００１９】
ファクシミリ部１２は、受信部１２１と、送信部１２２とを有している。受信部１２１は、公衆回線網を介して他のデジタル複合機がファクシミリ送信した画像データを受信する。送信部１２２は、画像データを他のデジタル複合機にファクシミリ送信する。
【００２０】
記憶部１３は、ＨＤＤ（Ｈａｒｄ  Ｄｉｓｋ  Ｄｒｉｖｅ）で構成される。記憶部１３は、ファクシミリ部１２の受信部１２１が受信した画像データを記憶する。また、記憶部１３は、ＬＡＮ４を介して受信した画像データを記憶する。
【００２１】
画像管理部１４は、記憶部１３に記憶された画像データを管理する。具体的には、画像管理部１４は、ＰＣ２のユーザが指定した指定画像データをＰＣ２にＬＡＮ４を介して送信する。画像管理部１４は、ＰＣ２のユーザにより編集され、指定画像データに加えられる編集部分に対応する編集画像データを指定画像データと対応付けて記憶部１３に記憶する。指定画像データ及び編集画像データについては、後述する。
【００２２】
画像合成部１５は、ＰＣ２の指示に応じて、記憶部１３が記憶している指定画像データと編集画像データとを合成して合成画像データを生成する。合成画像データについては、後述する。
【００２３】
ネットワークインタフェース１７は、ＬＡＮ４などに接続された各ＰＣとの間で、ＴＣＰ（Ｔｒａｎｓｍｉｓｓｉｏｎ Ｃｏｎｔｒｏｌ
Ｐｒｏｔｏｃｏｌ）／ＩＰ（Ｉｎｔｅｒｎｅｔ Ｐｒｏｔｏｃｏｌ）を用いたデータの送受信を行う。
【００２４】
次に、ＰＣ２の構成について詳しく説明する。ＰＣ２は、制御部２０と、表示部２１と、操作部２２と、記憶部２３と、管理部２４と、ネットワークインタフェース２６とを備える。
【００２５】
制御部２０は、ＣＰＵ等で構成され、ＰＣ２全体の制御を行う。制御部２０は、編集部２０１を有している。編集部２０１は、ＰＣ２にインストールされた画像編集用のソフトウェアがＣＰＵ上で動作することにより実現される機能部である。
【００２６】
表示部２１は、液晶ディスプレイなどである。操作部２２は、キーボード及びマウス等で構成される。記憶部２３は、指定画像データ等の画像データを記憶する。管理部２４は、デジタル複合機１に各種要求をする。
【００２７】
ネットワークインタフェース２６は、ＬＡＮ４などに接続されたデジタル複合機１との間で、ＴＣＰ／ＩＰを用いたデータの送受信を行う。
【００２８】
ＰＣ３の構成について説明する。ＰＣ３は、制御部３０と、表示部３１と、操作部３２と、記憶部３３と、管理部３４と、ネットワークインタフェース３６とを備える。ＰＣ３は、ＰＣ２と同様の構成であるため、詳細な説明を省略する。
【００２９】
[画像処理システムの動作]
次に、図２〜１２を参照して、画像処理システムの動作を説明する。本実施の形態では、デジタル複合機１が有しているファクシミリ機能を利用する。画像処理システムの動作は、記憶処理（図２のフローチャート）と、画像編集処理（図３及び図４のフローチャート）と、ファクシミリ送信処理（図５のフローチャート）とを備える。
【００３０】
[記憶処理]
まず、図２を参照して、記憶処理について説明する。記憶処理は、デジタル複合機１が他のデジタル複合機から画像データを受信することにより開始される。
【００３１】
デジタル複合機１の受信部１２１は、他のデジタル複合機がファクシミリ送信した画像データを受信する（ステップＳ１）。記憶部１３は、受信部１２１が受信した画像データを記憶する（ステップＳ２）。具体的には、記憶部１３は、受信した画像データ毎にフォルダを作成し、そのフォルダ内に各画像データを記憶する。これは、各画像データを容易に区別するためである。
【００３２】
[画像編集処理]
次に、図３及び図４を参照して、画像編集処理を説明する。画像編集処理は、順次画像編集処理と同時画像編集処理とがある。第１の実施の形態では、順次画像編集処理について説明する。
【００３３】
[順次画像編集処理]
順次画像編集処理とは、画像データを、同時に編集するＰＣの数が１台の場合の処理である。つまり、ＰＣ２のユーザが画像データを編集した後に、ＰＣ３のユーザがその画像データをさらに編集する。具体的には、順次画像編集処理は、図３の処理に続き、図４の処理が実行される。図３に示す処理は、ＰＣ２のユーザが画像データを編集する処理に対応する。図４に示す処理は、ＰＣ３のユーザが、画像データを編集する処理に対応する。
【００３４】
｛ＰＣ２による画像編集処理｝
まず、図３を参照して、ＰＣ２による画像編集処理について説明する。
【００３５】
ユーザがＰＣ２の操作部２２を操作することにより、記憶部１３に記憶されている１又は２以上の画像データのうち取得する画像データを指定する（ステップＳ３）。このように指定された画像データを指定画像データと定義する。本実施の形態では、ユーザが図６に示すような指定画像データ５０を指定する。管理部２４は、デジタル複合機１に対して指定画像データ５０の送信を要求する（ステップＳ４）。
【００３６】
ステップＳ４の要求に応じて、画像管理部１４は、指定画像データ５０をＰＣ２に送信する（ステップＳ５）。具体的には、画像管理部１４は、記憶部１３に記憶されている画像データの中から指定画像データ５０を読み出し、読み出した指定画像データ５０をＰＣ２にＬＡＮ４を介して送信する。
【００３７】
ＰＣ２は、デジタル複合機１が送信した指定画像データ５０を受信する（ステップＳ６）。ＰＣ２は、受信した指定画像データ５０を記憶部２３に記憶する。記憶された指定画像データ５０は、表示部２１に表示される。
【００３８】
ユーザが操作部２２を操作することにより、ＰＣ２は、前景レイヤ５１の編集を指示する（ステップＳ７）。編集部２０１は、ＰＣ２のユーザの操作に応じて、前景レイヤ５１を編集する。具体的には、図７に示すように、ＰＣ２は、指定画像データ５０の前景に、指定画像データ５０に対応する前景レイヤ５１を準備する。前景レイヤ５１は、透明レイヤである。ＰＣ２のユーザは、前景レイヤ５１の編集を行う。図８は、ＰＣ２により編集された前景レイヤ５１を示している。ＰＣ２により編集された前景レイヤ５１には、編集部分データ５２１として「！！」が追加されている。図９は、指定画像データ５０及びＰＣ２により編集された前景レイヤ５１を重ねて表示している様子を示している。以下、ＰＣ２により編集された前景レイヤ５１を編集画像データ５２と定義する。ＰＣ２は、ＰＣ２のユーザの操作に応じて、編集画像データ５２を記憶部２３に記憶する。
【００３９】
ステップＳ７の処理の後、ＰＣ２は、デジタル複合機１に編集画像データ５２の記憶を要求する（ステップＳ８）。デジタル複合機１は、編集画像データ５２を記憶する準備ができていることを示す通知をＰＣ２に送信する（ステップＳ９）。ＰＣ２は、ステップＳ９の通知に応じて、編集画像データ５２をデジタル複合機１にＬＡＮ４を介して送信する（ステップＳ１０）。
【００４０】
デジタル複合機１は、送信された編集画像データ５２を受信する（ステップＳ１１）。画像管理部１４は、受信した編集画像データ５２を指定画像データ５０と対応付けて記憶部１３に記憶する（ステップＳ１２）。具体的には、画像管理部１４は、指定画像データ５０が記憶されているフォルダ内に編集画像データ５２を記憶する。
【００４１】
上記のように指定画像データ５０が記憶されているフォルダ内に編集画像データ５２を記憶するので、指定画像データ５０と編集画像データ５２とを容易に対応付けることができる。指定画像データ５０及び編集画像データ５２のファイル名に識別番号を付与することにより、指定画像データ５０と編集画像データ５２とを対応付けてもよい。
【００４２】
｛ＰＣ３による画像編集処理｝
次に、ＰＣ２により編集された指定画像データ５０をＰＣ３が編集する場合の処理について説明する。図４は、図３で示す処理に続いて実行されるシーケンス図である。
【００４３】
ユーザがＰＣ３の操作部３２を操作することにより、画像データを指定する（ステップＳ１３）。ここでは、ＰＣ３のユーザは、ステップＳ３の処理と同じ指定画像データ５０を指定する場合を例に説明する。管理部３４は、デジタル複合機１に対して指定画像データ５０の送信を要求する（ステップＳ１４）。
【００４４】
指定画像データ５０は、編集画像データ５２と対応付けられて記憶部１３に記憶されている。このため、ステップＳ１４の要求に応じて、画像管理部１４は、指定画像データ５０及び編集画像データ５２をＰＣ３にＬＡＮ４を介して送信する（ステップＳ１５）。具体的には、画像管理部１４は、記憶部１３に記憶されている画像データの中から指定画像データ５０及び編集画像データ５２を読み出し、読み出した指定画像データ５０及び編集画像データ５２をＰＣ３にＬＡＮ４を介して送信する。画像管理部１４は、指定画像データ５０及び編集画像データ５２が同じフォルダ内に記憶されているので容易に読み出すことができる。
【００４５】
ＰＣ３は、デジタル複合機１が送信した指定画像データ５０及び編集画像データ５２を受信する（ステップＳ１６）。ＰＣ３は、受信した指定画像データ５０及び編集画像データ５２を記憶部３３に記憶する。記憶された指定画像データ５０及び編集画像データ５２は、オーバーラップされて表示部３１に表示される。このことより、ＰＣ３のユーザは、編集画像データ５２を確認することができる。なお、ＰＣ３は、ＰＣ３のユーザが指定画像データ５０のみを確認できるように、ユーザの操作に応じて、編集画像データ５２の表示／非表示を切り替えてもよい。
【００４６】
ＰＣ３のユーザは、操作部３２を操作することにより、前景レイヤ５１の編集を指示する（ステップＳ１７）。編集部３０１は、ＰＣ３のユーザの操作に応じて、前景レイヤ５１を編集する。ステップＳ１７の処理は、ステップＳ７の処理と同様である。このとき、編集画像データ５２が編集されることはない。ステップＳ１７においては、新たに設定された前景レイヤ５１が編集される。
【００４７】
このように、デジタル複合機１は、指定画像データ５０の送信を要求されたときに、編集画像データ５２が記憶部１３に記憶されている場合、指定画像データ５０と、編集画像データ５２とをＰＣ３にＬＡＮ４を介して送信する。したがって、ＰＣ３のユーザは、ＰＣ２が作成した編集画像データ５２を確認しながら、前景レイヤ５１を編集することができる。
【００４８】
図１０は、ＰＣ３により編集された前景レイヤ５１を示している。ＰＣ３により編集された前景レイヤ５１は、編集部分５３１，５３２を有している。編集部分５３１には、取り消し線が追加されている。編集部分５３２には、「２０１０」が追加されている。図１１は、指定画像データ５０及びＰＣ３により編集された前景レイヤ５１を重ねて表示している様子を示している。以下、ＰＣ３により編集された前景レイヤ５１を編集画像データ５３と定義する。ＰＣ３は、ＰＣ３のユーザの操作に応じて、編集画像データ５３を記憶部３３に記憶する。
【００４９】
ステップＳ１７の処理の後、ＰＣ３は、デジタル複合機１に編集画像データ５３の記憶を要求する（ステップＳ１８）。その後、デジタル複合機１は、編集画像データ５３を記憶する準備ができていることを示す通知をＰＣ３に送信する（ステップＳ１９）。ＰＣ３は、ステップＳ１９の通知に応じて、編集画像データ５３をデジタル複合機１にＬＡＮ４を介して送信する（ステップＳ２０）。
【００５０】
デジタル複合機１は、送信された編集画像データ５３を受信する（ステップＳ２１）。画像管理部１４は、受信した編集画像データ５３を指定画像データ５０と対応付けて記憶部１３に記憶する（ステップＳ２２）。具体的には、画像管理部１４は、指定画像データ５０及び編集画像データ５２が記憶されているフォルダ内に編集画像データ５３を記憶する。
【００５１】
上記のように画像管理部１４は、指定画像データ５０が記憶されているフォルダ内に編集画像データ５２及び編集画像データ５３を記憶している。したがって、画像管理部１４は、指定画像データ５０と、編集画像データ５２と、編集画像データ５３とを容易に対応付けることができる。
【００５２】
[ファクシミリ送信処理]
次に、図５を参照して、ファクシミリ送信処理を説明する。ＰＣ２のユーザが、画像データを他のデジタル複合機に送信する場合について説明する。
【００５３】
まず、ＰＣ２のユーザは、操作部２２を操作することにより、デジタル複合機１にファクシミリ送信を要求する（ステップＳ２３）。具体的には、ＰＣ２のユーザがファクシミリ送信する画像データを指定する。ここでは、指定画像データ５０が指定される。このことより、ファクシミリ送信処理が開始される。
【００５４】
ステップＳ２３の要求に応じて、デジタル複合機１は、指定画像データ５０と、編集画像データ５２、５３とをＰＣ２にＬＡＮ４を介して送信する（ステップＳ２４）。
【００５５】
ＰＣ２は、デジタル複合機１が送信した指定画像データ５０と、編集画像データ５２と、編集画像データ５３とを受信する（ステップＳ２５）。ＰＣ２は、指定画像データ５０と、編集画像データ５２と、編集画像データ５３とを記憶部２３に記憶する。記憶された指定画像データ５０と、編集画像データ５２と、編集画像データ５３とは、オーバーラップされて表示部２１に表示される。
【００５６】
なお、ＰＣ２は、ユーザの操作に応じて、編集画像データ５２，５３の表示／非表示を切り替えてもよい。つまり、ＰＣ２が複数の編集画像データを受信した場合、ＰＣ２は、指定画像データ５０の上に編集画像データを重ねて表示するか否かを、編集画像データ毎に選択できるようにしてもよい。
【００５７】
ユーザが操作部２２を操作することにより、ＰＣ２は、編集画像データ５２，５３から、指定画像データ５０と合成する編集画像データを選択する（ステップＳ２６）。本例では、ユーザが編集画像データ５２及び編集画像データ５３の両方を選択する。さらに、ユーザが操作部２２を操作することにより、ＰＣ２は、合成画像データを送信するデジタル複合機を決定する。
【００５８】
ＰＣ２は、ステップＳ２６により選択された指定画像データ５０と、編集画像データ５２と、編集画像データ５３との識別情報をデジタル複合機１に送信する（ステップＳ２７）。指定画像データ５０と、編集画像データ５２と、編集画像データ５３とは、各々を識別することができる識別情報を有している。
【００５９】
画像合成部１５は、送信された識別情報に基づいて、ＰＣ２により選択された編集画像データを記憶部１３から読み出す。本例では、画像合成部１５は、指定画像データ５０と、編集画像データ５２と、編集画像データ５３とを読み出す。画像合成部１５は、読み出した指定画像データ５０と、編集画像データ５２と、編集画像データ５３とを合成する（ステップＳ２８）。以下、指定画像データ５０と、ユーザが選択した編集画像データ５２，５３とが合成された画像を合成画像データ５５と定義する。図１２は、ステップＳ２８により生成された合成画像データ５５を示している。
【００６０】
送信部１２２は、合成画像データ５５を他のデジタル複合機にファクシミリ送信する（ステップＳ２９）。
【００６１】
このように、ＰＣ２は、作成された編集画像データの中から指定画像データ５０と合成するための編集画像データ５２，５３を選択する。画像合成部１４は、指定画像データ５０と、選択された編集画像データ５２，５３とを合成する。したがって、指定画像データ５０と所望の編集画像データ５２，５３とを合成して、他のデジタル複合機にファクシミリ送信することができる。
【００６２】
[第１の実施の形態の効果]
第１の実施の形態では、画像管理部１４が指定画像データ５０の編集部分に対応する編集画像データ５２を指定画像データ５０と対応付けて記憶部１３に記憶している。このことより、編集画像データは、指定画像データと別に記憶される。したがって、ユーザが編集した編集内容は編集画像データに反映されるため、指定画像データが上書きされない。よって、デジタル複合機は、編集対象の画像データを上書きすることなく、画像データを編集することができる。
【００６３】
[第２の実施の形態]
第２の実施の形態における記憶処理及びファクシミリ送信処理は、第１の実施の形態における記憶処理及びファクシミリ送信処理と同じ処理を行う。
【００６４】
図１３を参照して、同時画像編集処理を説明する。同時画像編集処理は、ＰＣ２及びＰＣ３が指定画像データ５０を並行して編集する処理のことである。
【００６５】
図１３は、同時画像編集処理を示すシーケンス図である。図１３を参照しながら、同時画像編集処理の一例として、ＰＣ２が編集画像データ５２を作成している間に、ＰＣ３が、指定画像データ５０の送信を要求するケースを説明する。なお、同時画像編集処理におけるＰＣ２側の処理についての説明は、第１の実施の形態における処理と同じであるので省略する。
【００６６】
まず、ＰＣ２が、デジタル複合機１に指定画像データ５０の送信を要求して、編集画像データ５２の作成を開始する（ステップＳ３〜Ｓ７）。
【００６７】
ステップＳ３〜Ｓ７の処理を行っている間に、ＰＣ３のユーザが、操作部３２を操作することにより、記憶部１３に記憶されている画像データの中から指定画像データ５０を指定する（ステップＳ１３）。
【００６８】
ステップＳ１４〜Ｓ１７の処理が行われる。このとき、記憶部１３には、指定画像データ５０に対応付けられた編集画像データが記憶されていない。デジタル複合機１は、指定画像データ５０のみをＰＣ３に送信する。このことより、ＰＣ３は、編集画像データ５３の作成を開始する。順次画像編集処理で説明したように、ＰＣ２，ＰＣ３は、指定画像データ５０自体を編集するのではなく、前景レイヤ５１を編集する。これにより、ＰＣ２，ＰＣ３が同時に前景レイヤ５１を編集したとしても、ＰＣ２，ＰＣ３のユーザは、他の編集者の影響を受けることなく、前景レイヤ５１を編集することができる。
【００６９】
ＰＣ３が前景レイヤ５１を編集している間に、デジタル複合機１は、ＰＣ２の要求に応じて、編集画像データ５２を指定画像データ５０に対応付けて記憶部１３に記憶する（ステップＳ８〜Ｓ１２）。
【００７０】
編集画像データ５２が記憶部１３に記憶された後（ステップＳ１２の後）に、ＰＣ３は、ステップＳ１７において、編集画像データ５３の記憶をデジタル複合機１に要求する（ステップＳ３１）。
【００７１】
デジタル複合機１がステップＳ３１の要求を受けた場合、デジタル複合機１は、ＰＣ３が前景レイヤ５１を編集している間に新しい編集画像データが記憶部１３に記憶されたかを判定する。本例では、編集画像データ５２が記憶部１３に新しく記憶されていることになる。
【００７２】
デジタル複合機１は、編集画像データ５２をＰＣ３にＬＡＮ４を介して送信する（ステップＳ３２）。ステップＳ３２を詳しく説明する。ＰＣ３がデジタル複合機１に編集した前景レイヤ５１の記憶を要求した時、編集画像データ５２は記憶部１３に記憶されていることになる。したがって、デジタル複合機１は、編集画像データ５２をＰＣ３に送信することができる。これらのことより、ＰＣ３のユーザは、ステップＳ３２により送信された編集画像データ５２に基づいて、編集した前景レイヤ５１をさらに編集することができる。
【００７３】
ＰＣ３は、編集した前景レイヤ５１を、編集画像データ５３としてデジタル複合機１に送信する（ステップＳ２０）。本例では、ＰＣ３は、ステップＳ３２の処理により編集画像データ５２を受信した後、前景レイヤ５１を編集せずにデジタル複合機１に送信している。なお、ＰＣ３が編集画像データ５２を受信した後、ＰＣ３のユーザが編集した前景レイヤ５１をさらに編集した場合、再びステップＳ３１に戻ってもよい。
【００７４】
デジタル複合機１は、送信された編集画像データ５３を受信する（ステップＳ２１）。画像管理部１４は、受信した編集画像データ５３を指定画像データ５０と対応付けて記憶部１３に記憶する（ステップＳ２２）。具体的には、画像管理部１４は、指定画像データ５０及び編集画像データ５２が記憶されているフォルダ内に編集画像データ５３を記憶する。
【００７５】
[第２の実施の形態の効果]
第２の実施の形態では、デジタル複合機１は、ＰＣ３から編集画像データ５３の記憶を要求されたときに編集画像データ５２が記憶部１３に記憶されている場合、編集画像データ５２をＰＣ３に送信する。したがって、ＰＣ３は、ＰＣ２により編集された編集画像データ５２を確認することができる。
【００７６】
[他の実施の形態]
本実施の形態によるデジタル複合機１は、画像合成部１５を備えているが、これに限定されない。例えば、ＰＣ２が画像合成部１５を備えていてもよい。この場合、デジタル複合機１は、ＰＣ２により合成された合成画像データを受信し、その合成画像データを他のデジタル複合機にファクシミリ送信してもよい。
【００７７】
また、ステップＳ３２の処理において、新しい編集画像データが記憶部１３に記憶されている場合、その編集画像データをＰＣに送信しているが、これに限定されない。例えば、記憶部１３に新しい編集画像データ記憶されているか否かに関わらず編集画像データを記憶部１３に記憶してもよい。
【００７８】
また、ユーザは、編集画像データを作成する際、前景レイヤの編集を行っている（ステップＳ７及びステップＳ１７）がこれに限定されない。例えば、以下の処理を行ってもよい。ＰＣのユーザは、指定画像データを直接編集する。その後、デジタル複合機１は、指定画像データと編集された指定画像データとの差分である編集画像データを抽出する。
【００７９】
また、前景レイヤ５１は、透明レイヤであったが特に限定されない。例えば、ユーザにより前景レイヤが編集された場合、編集画像データの編集部分に対応する箇所の背景を白に代えてもよい。このことより、合成画像データを作成する際、編集画像データの編集部分に対応している指定画像データの文字及び図形等を隠すことができる。
【００８０】
また、本実施の形態における画像処理システムの動作では、合成画像データ５５をファクシミリ送信しているが、これに限定されない。例えば、合成画像データ５５を印刷してもよい。このように、デジタル複合機１は、合成画像データ５５を出力すればよい。
【００８１】
また、本実施の形態では、ファクシミリ送信された画像データを編集対象としているが、これに限定されない。例えば、編集対象の画像データは、スキャンされた画像データであってもよい。
【符号の説明】
【００８２】
１  デジタル複合機
２，３  ＰＣ
１３  記憶部
１４  画像管理部
１５  画像合成部
１２２  送信部
【図１】
2011233976.tif 000003
【図２】
2011233976.tif 000004
【図３】
2011233976.tif 000005
【図４】
2011233976.tif 000006
【図５】
2011233976.tif 000007
【図６】
2011233976.tif 000008
【図７】
2011233976.tif 000009
【図８】
2011233976.tif 000010
【図９】
2011233976.tif 000011
【図１０】
2011233976.tif 000012
【図１１】
2011233976.tif 000013
【図１２】
2011233976.tif 000014
【図１３】
2011233976.tif 000015